(57)【要約】【課題】  診断対象部位が暗く狭いところにあっても、当該部位へ先端の測定子を簡単且つ正確に片手で当接させることができる聴診具を提供する。【解決手段】  聴診具は、先端部を接触子とする棒状のロッド部２と、このロッド部２の基端に取り付けられた耳当部３と、を備えている。ロッド部２の外周面中間位置には、照明装置１（照明手段）が装着してある。照明装置１は、複数のＬＥＤランプ１０を光源として、これらＬＥＤランプ１０をランプ保持部材１１に装着した構成となっている。ＬＥＤランプ１０からの光線は、ロッド部２の前方を照らすため、機械等の診断箇所が狭く暗い隙間の奥にあっても、的確にその診断箇所へロッド部２の先端（測定子）を導いて当接されることができる。【選択図】      図１
2008175576.tif 000002
【特許請求の範囲】
【請求項１】
先端部を接触子とする棒状のロッド部を有し、このロッド部の先端部を診断対象へ当接させて、当該診断対象からの振動音をロッド部の基端側で聴診する構成の聴診具において、
前記ロッド部の前方を照射する照明手段を備えたことを特徴とする聴診具。
【請求項２】
前記照明手段は、前記ロッド部の外周に装着し、前記ロッド部の前方に光線を照射する光源を含むことを特徴とする請求項１の聴診具。
【請求項３】
前記ロッド部の先端部に、診断対象からの振動音を拾う接触子を兼用する温度検知センサを設けたことを特徴とする請求項２の聴診具。
【請求項４】
前記ロッド部は中空筒状に形成されており、
前記照明手段は、前記ロッド部の中空部内で先端近傍位置に内蔵し、前記ロッド部の前方に光線を照射する光源を含むことを特徴とする請求項１の聴診具。
【発明の詳細な説明】
【技術分野】
【０００１】
この発明は、機械の点検に用いられる聴診具に関する。
【背景技術】
【０００２】
モータ等の駆動部を有する各種機械は、故障が発生したとき正常時とは異なる振動音を発することはよく知られている。聴診具は、このような機械の振動音を聴き取るための簡易な点検用具であり、特許文献１にはその従来技術が開示されている。
【０００３】
特許文献１の聴診具は、伸縮自在のロッドと、このロッドの一端に取り付けられた耳当部とを備えている。この聴診具は、ロッドを伸ばした状態で、当該ロッドの先端を診断対象である機械の所用部位に当接させるとともに、耳当部に作業員の耳を当てるだけで、ロッドを伝わってくる振動音を明瞭に聴き取ることができる構成となっている。
ここで、伸ばした状態のロッドは、機械の奥まった部位にも容易に入り込ませることができる。
【０００４】
しかしながら、この聴診具によって機械の奥まった部位を聴診する場合、周囲の構造物に光が遮られて、ロッド先端を当接させるべき部位が暗く目視確認し辛いことがある。その場合、作業員は、一方の手で懐中電灯などの照明器具を操作すると同時に、他方の手でロッドを操作する必要がある。このようにして両手が塞がった状態では、狭く足場の悪い作業環境においては作業員が体勢を崩しやすく、作業性に問題があった。
【特許文献１】特開２００５−３００３４３号公報
【発明の開示】
【発明が解決しようとする課題】
【０００５】
この発明は、上述した事情に鑑みてなされたもので、診断対象部位が暗く狭いところにあっても、当該部位へ先端の測定子を簡単且つ正確に片手で当接させることができる聴診具の提供を目的とする。
【課題を解決するための手段】
【０００６】
上記目的を達成するために、本発明は、先端部を接触子とする棒状のロッド部を有し、このロッド部の先端部を診断対象へ当接させて、当該診断対象からの振動音をロッド部の基端側で聴診する構成の聴診具において、
ロッド部の前方を照射する照明手段を備えたことを特徴とする。
【０００７】
ここで、照明手段は、ロッド部の外周に装着し、ロッド部の前方に光線を照射する光源を含む構成とすることができる。
この場合、ロッド部の先端部に、診断対象からの振動音を拾う接触子を兼用する温度検知センサを設けることもできる。
【０００８】
また、ロッド部を中空筒状に形成するとともに、照明手段は、ロッド部の中空部内で先端近傍位置に内蔵し、ロッド部の前方に光線を照射する光源を含む構成とすることもできる。
【発明の効果】
【０００９】
上記構成の本発明によれば、ロッド部の前方を照明手段によって照射できるので、診断対象部位が暗く狭いところにあっても照明手段によって明るく照らされる。その結果、当該部位へ先端の測定子を簡単且つ正確に片手で当接させることができる。
【発明を実施するための最良の形態】
【００１０】
以下、この発明の実施の形態について図面を参照して詳細に説明する。
〔第１実施形態〕
図１は本発明の第１実施形態に係る聴診具の全体構成を示す斜視図、図２（ａ）は同じく正面図、同図（ｂ）は照明装置の正面断面図、同図（ｃ）は同装置の回路図である。
図１に示すように、聴診具は、先端部を接触子とする棒状のロッド部２と、このロッド部２の基端に取り付けられた耳当部３と、を備えている。ロッド部２及び耳当部３は、振動音を伝達しやすい材料、例えば、鉄等の金属材料や硬質プラスチックで形成されている。
【００１１】
機械等の検査に際しては、診断対象となる機械等の所用箇所、すなわち当該機械特有の振動音を拾うことができる箇所（例えば、駆動軸の軸受部）に、ロッド部２の先端を当接させるとともに、耳当部３に作業員の耳を押し当てて使用される。機械等からは特有の振動音がロッド部２を介して耳当部３に押し当てた作業員の耳に伝えられる。作業員は、日頃の訓練によって、機械等が正常に稼働しているときの振動音を記憶しており、その正常な振動音との違いを聴き分けて、機械等を診断する。機械等に異常があると、それに伴い振動音が変化することが多い。この機械等からの振動音の変化をもって機械の故障を発見することが可能となる。
【００１２】
本実施形態では、ロッド部２の外周面中間位置に、照明装置１（照明手段）を装着してある。照明装置１は、複数のＬＥＤランプ１０を光源として、これらＬＥＤランプ１０をランプ保持部材１１に装着した構成となっている。
図２（ｂ）に示すように、ランプ保持部材１１には、Ｌ字状をした中空軸部１１ａの一端に固定部１１ｂが設けられ、他端には光反射用の笠部１１ｃが設けられている。中空軸部１１ａの内部には、電源としてのピン型をしたリチウム電池１２と、プッシュスイッチ等のスイッチ１３の本体部分が内蔵してある。スイッチ１３の操作部は、中空軸部１１ａの外部に露出している。
ＬＥＤランプ１０、リチウム電池１２、及びスイッチ１３は、リード線１４を介して、図２（ｃ）に示すように電気的に接続されている。
【００１３】
笠部１１ｃの内面は放射状に広がった反射鏡を形成している。ＬＥＤランプ１０は、この笠部１１ｃの内側中央部に装着してある。これにより、ＬＥＤランプ１０から放射された光線は笠部１１ｃの内面（反射鏡）に反射して前方へ導かれる。なお、笠部１１ｃは、回動自在なヒンジ１５を介して中空軸部１１ａと連結してあり、このヒンジ部１５の回動操作をもって光線の進行方向を任意に調節することができる。
【００１４】
固定部１１ｂは、聴診具のロッド部２に外嵌可能な円筒状の管体１６と、この管体１６に設けた螺子孔にねじ込まれた固定螺子１７で構成されている。図２（ａ）に示すように、管体１６をロッド部２の外周面に外嵌して、適当な位置で固定螺子１７を締めることにより、管体１６の内周面がロッド部２に圧接して固定される。固定位置は、固定螺子１７を緩めるだけで任意の調整をすることができる。
なお、ロッド部２を伝わる振動音が、照明装置１側へ分岐して伝わると、耳当部３へ向かう振動音が減少して、作業員が振動音を聴き取り辛くなる可能性がある。そこで、管体１６の内周面に振動音が伝わりにくい材料（例えば、フェルトや軟質プラスチック）の層を形成することが好ましい。
【００１５】
上述した構成の聴診具は、ＬＥＤランプ１０から放射される光線をロッド部２の前方へ導くような姿勢をもって、照明装置１をロッド部２の外周に装着する。使用に際しては、スイッチ１３を操作してＬＥＤランプ１０を点灯させれば、ロッド部２の先端（測定子）の向かう方向がＬＥＤランプ１０からの光線に照らされるため、機械等の診断箇所が狭く暗い隙間の奥にあっても、的確にその診断箇所へロッド部２の先端（測定子）を導いて当接されることができる。
このとき、照明装置１はロッド部２に装着してあるので、ロッド部２と一体に移動させることができ、片手で上記診断操作を行うことが可能である。
【００１６】
〔第２実施形態〕
図３は本発明の第２実施形態に係る聴診具の構成を示す図であり、（ａ）は正面図、（ｂ）はロッド部先端の拡大断面図、（ｃ）はロッド部基端側の拡大断面図である。なお、先の第１実施形態に係る聴診具と同一部分又は相当する部分には同一符号を付し、その部分の詳細な説明は省略する。
【００１７】
機械等を検査するにあたり、温度をもって正常に稼働しているか否かを診断することもある。そこで、本実施形態では、ロッド部２の先端部に、温度検知センサ２０を装着した構成としてある。温度検知センサ２０は、振動音を拾う接触子としても機能し得る特性を有していることが必要である。例えば、温度に対応して電気的な抵抗値が変化する白金測温抵抗体素子がその種の特性を有するため、温度検知センサ２０として好適である。
【００１８】
ロッド部２は中空筒体とし、その先端部に温度検知センサ２０を装着するとともに、ロッド部２の中空部を通して温度検知センサ２０に接続されたリード線２１を、ロッド部２の基端部側に導いている。ロッド部２の基端部近傍には、温度検出回路を内蔵した温度表示部２２が装着してあり、温度検知センサ２０が検知した診断対象の温度を、温度表示部２２へデジタル表示する構成となっている。
【００１９】
ここで、温度検知センサ２０はロッド部２の内周面に密着させて、温度検知センサ２０が拾った振動音をロッド部２へ効率的に伝達させるように構成することが好ましい。一方、ロッド部２を伝わる振動音が、温度表示部２２側へ分岐して伝わると、耳当部３へ向かう振動音が減少して、作業員が振動音を聴き取り辛くなる可能性がある。そこで、温度表示部２２とロッド部２との間に、振動音が伝わりにくい材料（例えば、フェルトや軟質プラスチック）の層２３を介在させることが好ましい。
なお、この温度表示部２２（温度検出回路を内蔵）は、リード線２１を引き延ばし、ロッド部２から取り外した構成としてもよい。このように構成すれば、上記のごとく振動音が伝わりにくい材料の層を介在させる必要がなくなる。
【００２０】
本実施形態の聴診具によれば、照明装置１からの構成によって前方を照らして診断箇所に温度検知センサ２０を導くことができる。そして、温度検知センサ２０を診断箇所に当接させれば、そこから伝わる振動音をもって診断対象の機械等を診断できるだけでなく、温度検知センサ２０が検知した診断箇所の温度をもって、診断対象の機械等が正常に稼働しているか否かを診断することもできる。
【００２１】
〔第３実施形態〕
図４は本発明の第２実施形態に係る聴診具の構成を示す図であり、（ａ）は正面図、（ｂ）はロッド部先端の拡大断面図である。なお、本実施形態においても、先の第１，第２実施形態に係る聴診具と同一部分又は相当する部分には同一符号を付し、その部分の詳細な説明は省略する。
【００２２】
本実施形態の聴診具は、照明手段を構成する光源であるＬＥＤランプ１０を、ロッド部２の先端近傍位置に内蔵した構成となっている。すなわち、ロッド部２は中空筒状に形成されており、その中空部内で先端近傍位置にＬＥＤランプ１０を組み込んである。ＬＥＤランプ１０から放射される光線は、ロッド部の前方に向かうように、光軸を調整してある。
またここでも、ＬＥＤランプ１０側にロッド部２から振動音が伝わることを抑制するために、ＬＥＤランプ１０とロッド部２との間に、振動音が伝わりにくい材料（例えば、フェルトや軟質プラスチック）の層３０を介在させることが好ましい。
【００２３】
リチウム電池等の電源とスイッチは、電源ボックス３１に収納され、リード線３２を介してＬＥＤランプ１０と電気的に接続されている。なお、リチウム電池等の電源及びスイッチは、ロッド部２の中空部内へ内蔵することもできる。
【００２４】
本実施形態の聴診具も、使用に際してＬＥＤランプ１０を点灯させれば、ロッド部２の先端（測定子）の向かう方向がＬＥＤランプ１０からの光線に照らされるため、機械等の診断箇所が狭く暗い隙間の奥にあっても、的確にその診断箇所へロッド部２の先端（測定子）を導いて当接されることができる。
このとき、照明装置１はロッド部２に装着してあるので、ロッド部２と一体に移動させることができ、片手で上記診断操作を行うことが可能である。
【００２５】
なお、本発明は上述した実施形態に限定されるものではなく、特許請求の範囲に記載された発明の技術的範囲内で種々の変形又は応用が可能であることは勿論である。
【図面の簡単な説明】
【００２６】
【図１】本発明の第１実施形態に係る聴診具の全体構成を示す斜視図である。
【図２】本発明の第１実施形態に係る聴診具を示す図であり、（ａ）は正面図、（ｂ）は照明装置の側面断面図、（ｃ）は照明装置の回路図である。
【図３】本発明の第２実施形態に係る聴診具の構成を示す図であり、（ａ）は正面図、（ｂ）はロッド部先端の拡大断面図、（ｃ）はロッド部基端側の拡大断面図である。
【図４】本発明の第２実施形態に係る聴診具の構成を示す図であり、（ａ）は正面図、（ｂ）はロッド部先端の拡大断面図である。
【符号の説明】
【００２７】
１：照明装置、２：ロッド部、３：耳当部、
１０：ＬＥＤランプ、１１：ランプ保持部材、１１ａ：中空軸部、１１ｂ：固定部、１１ｃ：笠部、１２：リチウム電池、１３：スイッチ、１４：リード線、１５：ヒンジ、１６：管体、１７：固定螺子、
２０：温度検知センサ、２１：リード線、２２：温度表示部、２３，３０：振動音が伝わりにくい材料の層、３１：電池ボックス、３２：リード線
【図１】
2008175576.tif 000003
【図２】
2008175576.tif 000004
【図３】
2008175576.tif 000005
【図４】
2008175576.tif 000006